(57)【要約】【課題】  受信メールを転送した場合にも、転送先で件名（サブジェクト）を見ることができるファクシミリ装置を提供する。【解決手段】  インターネットまたはローカルエリアネットワークに接続し、電子メール送受信可能なファクシミリ装置において、受信した文書を転送する転送先を登録する操作手段７と、受信メールから件名を取得するメール解析手段１０と、取得した件名を記憶するシステムメモリ手段２と、受信した文書を転送するとき、画像に件名を挿入するよう制御するシステム制御手段１とを備えた。【選択図】        図１
2006229713.tif 000002
【特許請求の範囲】
【請求項１】
インターネットまたはローカルエリアネットワークに接続し、電子メール送受信可能なファクシミリ装置において、
受信した文書を転送する転送先を登録する操作手段と、受信メールから件名を取得するメール解析手段と、前記取得した件名を記憶するシステムメモリ手段と、前記受信した文書を転送するとき、画像に件名を挿入するよう制御するシステム制御手段とを備えたことを特徴とするファクシミリ装置。
【請求項２】
インターネットまたはローカルエリアネットワークに接続し、電子メール送受信可能なファクシミリ装置において、
印刷することなく受信文書を管理する文書蓄積手段と、前記受信文書を一覧表示する操作手段と、受信メールから件名を取得するメール解析手段と、前記取得した件名を記憶するシステムメモリ手段とを備え、前記操作手段は、前記受信文書を一覧表示するとき、前記取得した件名を共に表示することを特徴とするファクシミリ装置。
【発明の詳細な説明】
【技術分野】
【０００１】
本発明は、インターネットまたはローカルエリアネットワークに接続し、電子メールを送受信可能なファクシミリ装置に関し、特に、受信メールを転送した場合にも、転送先で件名（サブジェクト）を見ることができるファクシミリ装置に関する。
【背景技術】
【０００２】
インターネットまたはローカルエリアネットワークに接続し、電子メール送受信可能なファクシミリ装置に関して、例えば、特許文献１に記載の技術が知られている。
【特許文献１】特開２００４−４０６００公報
【発明の開示】
【発明が解決しようとする課題】
【０００３】
上述したネットワークファクシミリ装置において、受信メールの件名（サブジェクト）は、送信者による送信文書についての概要、依頼などの情報を含んでいるが、従来は、受信メールを転送する場合、転送先へはこの情報は通知されていなかった。同様に、転送先において、ペーパーレス受信などで受信文書一覧を見た場合、件名（サブジェクト）を見ることができなかった。
本発明は、受信メールを転送した場合にも、転送先で件名（サブジェクト）を見ることができるファクシミリ装置を提供することを目的とする。
本発明の他の目的は、ペーパーレス受信などの文書一覧を見る時に、件名（サブジェクト）を見ることが可能なファクシミリ装置を提供することである。
【課題を解決するための手段】
【０００４】
上記目的を達成するために、請求項１記載の発明は、インターネットまたはローカルエリアネットワークに接続し、電子メール送受信可能なファクシミリ装置において、受信した文書を転送する転送先を登録する操作手段と、受信メールから件名を取得するメール解析手段と、前記取得した件名を記憶するシステムメモリ手段と、前記受信した文書を転送するとき、画像に件名を挿入するよう制御するシステム制御手段とを備えたことを最も主要な特徴とする。
請求項２記載の発明は、インターネットまたはローカルエリアネットワークに接続し、電子メール送受信可能なファクシミリ装置において、印刷することなく受信文書を管理する文書蓄積手段と、前記受信文書を一覧表示する操作手段と、受信メールから件名を取得するメール解析手段と、前記取得した件名を記憶するシステムメモリ手段とを備え、前記操作手段は、前記受信文書を一覧表示するとき、前記取得した件名を共に表示することを最も主要な特徴とする。
【発明の効果】
【０００５】
本発明によれば、受信メールを転送する場合、受信メールに設定されている件名（サブジェクト）を画像に挿入することにより、転送先へも件名（サブジェクト）を通知することができる。
また本発明によれば、ペーパーレス受信などの文書一覧を見る時に、件名（サブジェクト）を見ることが可能となる。
【発明を実施するための最良の形態】
【０００６】
以下、本発明の実施の形態を図面に従って説明する。
図１は、本発明の実施の形態に係るファクシミリ装置のシステムブロック図である。図１において、ファクシミリ装置のシステム制御部１はシステム全体を監視制御するユニットであり、システムメモリ部２は装置に予め登録される情報や通信に必要なデータを一時格納するユニットであり、読取部３は原稿を読み取るユニットである。
印刷部４は記録紙に画像を出力するユニットであり、文書蓄積部５は読取部３より読み取った原稿や、受信した文書、メール受信文書を格納するユニットであり、通信制御部６はＧ３／Ｇ４ファクス通信制御、画情報の圧縮再生制御、モデム制御、ＮＣＵ制御などを行うユニットであり、操作部７はユーザーが各種操作を行うユニットである。
電話番号管理部８は操作部７から登録された各種電話番号やメールアドレスを管理するユニットであり、ネットワーク制御部９はＬＡＮへの接続を行い、インターネットＦＡＸの送受信を行うユニットであり、メール解析部１０は受信メールから件名を抽出し、システムメモリ部２に記憶するユニットである。
図２は、複数のファクシミリ装置（ＦＡＸ：Ａ、ＦＡＸ：Ｂ、ＦＡＸ：Ｃ）がネットワーク接続されたファクシミリネットワークの概略図である。図２において、（１）に示すように、ＦＡＸ：Ａよりインターネットファクス送信するとメールサーバ２１にメールが到着し、（２）に示すように、ＦＡＸ：Ｂは定期的にメールサーバ２１へ新着メールをチェックし、新着メールが届いていたらメールサーバ２１よりメールを受信する。
後述する実施形態１の場合、（３）に示すように、ＦＡＸ：Ｂでメール受信した文書をＰＳＴＮまたはＩＳＤＮ経由でＦＡＸ：Ｃに転送する。また、後述する実施形態２の場合、ＦＡＸ：Ｂでメール受信した文書を印刷しないでＨＤＤ等に保存し、操作部７より受信文書の情報を表示し、必要な文書のみを印刷する。
【０００７】
［実施形態１］
予め操作部７よりメモリ転送先の電話番号を登録し、電話番号管理部８に記憶する。本実施形態のファクシミリ装置（ＦＡＸ：Ｂ）は定期的にメールサーバ２１で新着メールをチェックし、新着メールが届いていたらメールサーバ２１よりメールを受信する。
そして、メール解析部１０により、図３に示したメールヘッダの件名（サブジェクト）を受信したメールより取得し、システムメモリ部２に記憶する。次に、通信制御部６より予め登録されていたメモリ転送先にメール受信した文書を転送する。このとき、システム制御部１は、前記取得した件名（サブジェクト）を、図４に示した画像サンプルのように画像に差し込んで送信する。
［実施形態２］
本実施例のファクシミリ装置は定期的にメールサーバ２１で新着メールをチェックし、新着メールが届いていたらメールサーバ２１よりメールを受信する。そして、メール解析部１０により、図３に示したメールヘッダの件名（サブジェクト）を受信したメールより取得し、システムメモリ部２に記憶し、受信文書を文書蓄積部５に記憶する。
操作部７より受信文書を参照するとき、システム制御部１は、メール受信した文書については、図５に示した操作部サンプルのように、受信文書の相手先に取得した件名（サブジェクト）を表示する。
【図面の簡単な説明】
【０００８】
【図１】本発明の実施の形態に係るファクシミリ装置のシステムブロック図。
【図２】複数のファクシミリ装置（ＦＡＸ：Ａ、ＦＡＸ：Ｂ、ＦＡＸ：Ｃ）がネットワーク接続されたファクシミリネットワークの概略図。
【図３】メールヘッダの件名（サブジェクト）を示す図。
【図４】画像サンプルを示す図。
【図５】操作部サンプルを示す図。
【符号の説明】
【０００９】
１  システム制御部、２  システムメモリ部、３  読取部、４  印刷部、５  文書蓄積部、６  通信制御部、７  操作部、８  電話番号管理部、９  ネットワーク制御部、１０  メール解析部、２１  メールサーバ
【図１】
2006229713.tif 000003
【図２】
2006229713.tif 000004
【図３】
2006229713.tif 000005
【図４】
2006229713.tif 000006
【図５】
2006229713.tif 000007